(57)【要約】【課題】第１のタグ本体４および第２のタグ本体５を折曲げ部３２の部分で１８０度まで比較的容易に折り曲げることができるようにし、折曲げ部３２の部分で折り曲げた結果、はがれ（デザイン割れ）などが発生しないようにしてデザイン表示体裁上も好ましいものとすることができる商品情報表示用タグを提供すること。【解決手段】折曲げ部３２を二本の折り目線（ハーフカット１６）から形成することに着目したもので、折曲げ部３２を境にして二つ折りに折り曲げ可能な第１のタグ本体４および第２のタグ本体５を有するとともに、折り曲げた状態で取付け具を用いて商品に取り付けることにより、商品に関する商品情報を表示するための商品情報表示用タグであって、折曲げ部３２はこれを、互いに接近した二本の折り目線１６によるものとしたことを特徴とする。【選択図】図１
2010049104.tif 000002
【特許請求の範囲】
【請求項１】
折曲げ部を境にして二つ折りに折り曲げ可能な第１のタグ本体および第２のタグ本体を有するとともに、
折り曲げた状態で取付け具を用いて商品に取り付けることにより、この商品に関する商品情報を表示するための商品情報表示用タグであって、
前記折曲げ部はこれを、互いに接近した二本の折り目線によるものとしたことを特徴とする商品情報表示用タグ。
【請求項２】
前記折曲げ部を境にして互いに対称な位置に、当該商品情報表示用タグの位置決め用の丸パンチ孔および前記取付け具用の取付け孔部を形成していることを特徴とする請求項１記載の商品情報表示用タグ。
【請求項３】
前記第１のタグ本体および前記第２のタグ本体を前記折曲げ部で折り曲げて表面側に位置する表面領域に前記商品の販売用デザインを表示することを特徴とする請求項１記載の商品情報表示用タグ。
【請求項４】
前記折り目線は、これをハーフカットから形成したことを特徴とする請求項１記載の商品情報表示用タグ。
【発明の詳細な説明】
【技術分野】
【０００１】
本発明は商品情報表示用タグにかかるもので、とくに衣料品その他の商品に取り付けて商品情報を表示するための商品情報表示用タグに関するものである。
【背景技術】
【０００２】
従来の商品情報表示用タグとして、たとえば衣料品などの商品については、その価格やバーコードその他商品の詳細データはもちろん、その製造販売元ないしはアパレルメーカーやそのブランドなどの商品情報を表示する必要があり、タグの表裏面を有効に活用するために、たとえばその表面側にブランドなどのデザインを印刷表示し、その裏面側に価格やバーコードなどを印字表示している。
【０００３】
図４は、商品情報表示用タグを複数枚連続して形成したタグ連続体１として示したもので、図４（１）は、その裏面側を示す平面図、図４（２）は、その表面側を示す平面図、図５は、図４（１）のＶ−Ｖ線断面図である。
タグ連続体１は、商品情報表示用タグ２を複数枚連続して帯状にこれを形成しており、所定のプリンター（図示せず）にこれを装填して、商品情報を印字したのち、カッター装置（図示せず）を用いて所定の切断線３において切断することにより、それぞれの商品情報表示用タグ２を作成することができる。
【０００４】
図６は、切断して単葉状態とした商品情報表示用タグ２の平面図（裏面図）であって、商品情報表示用タグ２は、第１のタグ本体４および第２のタグ本体５を有するとともに、その境界部の折曲げ部６を境にして折り曲げる（折り畳む）ことができるようになっている。
図４（１）に示すように、第１のタグ本体４および第２のタグ本体５の裏面領域７には、商品の番号、材料、価格やバーコードなどの商品情報を表示する。
第１のタグ本体４の裏面領域７には、たとえば、商品の番号８、材料９、製造アパレルメーカーの名称１０などを印字し、第２のタグ本体５の裏面領域７には、小売店が利用するバーコード１１、製造アパレルメーカーが利用するバーコード１２および価格１３などの商品情報を上記プリンターに装填して印字する。
図４（２）に示すように、第１のタグ本体４および第２のタグ本体５の表面領域１４（第１のタグ本体４および第２のタグ本体５を折曲げ部６で折り曲げて表面側に位置する表面領域）には、商品情報の一部として商品に関するブランドその他を描いた販売用デザイン１５を表示する。この販売用デザイン１５は、タグ連続体１の製造時にあらかじめ多色印刷などにより販売促進に適したデザインを印刷する。
【０００５】
折曲げ部６は、所定の歯を押し付けて形成する一般的な折り目線によるものか、あるいは、折り目線の一種として切断刃を利用して形成するハーフカット（図５に図示の例では、商品情報表示用タグ２の厚さ方向に所定深さまで切り込んだハーフカット１６としている）などによるものからこれを形成する。
【０００６】
一本のハーフカット１６による折曲げ部６を境にして第１のタグ本体４および第２のタグ本体５の互いに対称な位置に、当該商品情報表示用タグ２の位置決め用の丸パンチ孔１７および取付け孔部１８を形成している。
位置決め用の丸パンチ孔１７は、商品情報表示用タグ２をタグ連続体１としてプリンターに装填した際の商品情報表示用タグ２の位置決め用の貫通孔である。
取付け孔部１８は、商品情報表示用タグ２を折曲げ部６の部分で折り曲げた状態でナイロンピンその他の取付け具１９（図７）を用いて商品Ｍに取り付ける際に、位置決め用の丸パンチ孔１７とともに、取付け具１９を挿通するもので、この取り付けにより、商品Ｍ（図７）に関する商品情報を表示する。
ただし、取付け孔部１８は、貫通カット部１８Ａと、この貫通カット部１８Ａにつながる貫通していないもろい部分１８Ｂと、からなる。
取付け孔部１８は、タグ連続体１をプリンターに装填した際には、貫通状態にはなく、位置決め用の丸パンチ孔１７のみを位置検出用として利用することができるようにし、商品情報表示用タグ２の状態で折曲げ部６を境に折り曲げた際に、位置決め用の丸パンチ孔１７にとおした取付け具１９により取付け孔部１８をあけるようにしている。
【０００７】
なお、たとえば第２のタグ本体５には、商品Ｍを購入した顧客が製造アパレルメーカーが利用するバーコード１２あるいは価格１３部分を切り取ることができるように、一本あるいは二本のミシン目２０を形成しておくことができる。
【０００８】
図７は、商品Ｍに商品情報表示用タグ２を取り付けた状態を示す斜視図であって、折り曲げた第１のタグ本体４および第２のタグ本体５により商品Ｍを挟むようにした状態で、取付け具１９を位置決め用の丸パンチ孔１７、商品Ｍおよび取付け孔部１８に挿通し、商品情報表示用タグ２を商品Ｍに取り付けて、必要な商品情報を表示する。
【０００９】
しかしながら、こうした構成の商品情報表示用タグ２（タグ連続体１）において、とくに図５に仮想線で示すように、ハーフカット１６が一本であるため、折曲げ部６の部分で第１のタグ本体４および第２のタグ本体５を折り曲げようとしても、第１のタグ本体４および第２のタグ本体５を９０度以上折り曲げづらいという問題がある。
したがって、無理に折り曲げようとすると、第１のタグ本体４および第２のタグ本体５の折曲げ部６に沿った表面領域１４部分に割れが生じて、はがれ２１（デザイン割れ）が発生し、材料である紙材などの白地が見えてしまって、デザイン表示体裁上好ましくないという問題がある。
【００１０】
【特許文献１】特開２００４−５０６７５号公報
【発明の開示】
【発明が解決しようとする課題】
【００１１】
本発明は以上のような諸問題にかんがみなされたもので、折曲げ部の部分で折り曲げ可能とするとともに、第１のタグ本体および第２のタグ本体の表裏面に各種の商品情報を表示可能な商品情報表示用タグを提供することを課題とする。
【００１２】
また本発明は、折曲げ部の部分での折曲げ（折畳み）を１８０度まで比較的容易に行うことができるようにした商品情報表示用タグを提供することを課題とする。
【００１３】
また本発明は、折曲げ部の部分で折り曲げた結果、はがれ（デザイン割れ）などが発生しないようにしてデザイン表示体裁上も好ましいものとすることができる商品情報表示用タグを提供することを課題とする。
【課題を解決するための手段】
【００１４】
すなわち本発明は、折曲げ部を二本の折り目線から形成することに着目したもので、折曲げ部を境にして二つ折りに折り曲げ可能な第１のタグ本体および第２のタグ本体を有するとともに、折り曲げた状態で取付け具を用いて商品に取り付けることにより、この商品に関する商品情報を表示するための商品情報表示用タグであって、上記折曲げ部はこれを、互いに接近した二本の折り目線によるものとしたことを特徴とする商品情報表示用タグである。
【００１５】
上記折曲げ部を境にして互いに対称な位置に、当該商品情報表示用タグの位置決め用の丸パンチ孔および上記取付け具用の取付け孔部を形成していることができる。
【００１６】
上記第１のタグ本体および上記第２のタグ本体を上記折曲げ部で折り曲げて表面側に位置する表面領域に上記商品の販売用デザインを表示することができる。
【００１７】
上記折り目線は、これをハーフカットから形成することができる。
【発明の効果】
【００１８】
本発明による商品情報表示用タグにおいては、折曲げ部を二本の折り目線から形成するようにしたので、折り目自体が１８０度まで折りやすくすることが可能となり、したがって、折ったあとの、印刷面（表面領域）のはがれやデザイン割れの発生を抑制し、商品情報表示用タグとしての価値の低下を防止可能である。
【発明を実施するための最良の形態】
【００１９】
本発明は、折曲げ部はこれを、互いに接近した二本の折り目線によるものとしたので、折曲げ部の表面部分における白く割れたはがれやデザイン割れなどの不体裁部分の発生を回避可能な商品情報表示用タグを実現した。
【実施例】
【００２０】
つぎに本発明の実施例による商品情報表示用タグを図１ないし図３にもとづき説明する。ただし、図４ないし図７と同様の部分には同一符号を付し、その詳述はこれを省略する。
図１は、商品情報表示用タグを複数枚連続して形成したタグ連続体３０として示したもので、図１（１）は、その裏面側を示す平面図、図１（２）は、その表面側を示す平面図、図２は、図１（１）のＩＩ−ＩＩ線断面図である。
タグ連続体３０は、前述した従来のタグ連続体１と同様に、商品情報表示用タグ３１を複数枚連続して帯状に形成しており、所定のプリンター（図示せず）にこれを装填して、商品情報を印字したのち、カッター装置（図示せず）を用いて所定の切断線３において切断することにより、それぞれの商品情報表示用タグ３１を作成することができる。
【００２１】
図３は、切断して単葉状態とした商品情報表示用タグ３１の平面図（裏面図）であって、商品情報表示用タグ３１は、第１のタグ本体４および第２のタグ本体５を有するとともに、その境界部の折曲げ部３２を境にして折り曲げる（折り畳む）ことができるようになっている。
【００２２】
折曲げ部３２は、所定の歯を押し付けて形成する一般的な折り目線によるものか、あるいは、折り目線の一種として切断刃を利用して形成するハーフカット（図３に図示の例では、商品情報表示用タグ３１の厚さ方向に所定深さまで切り込んだハーフカット１６としている）などによるものからこれを形成する。
ただし、折曲げ部３２はこれを、互いに接近した二本の折り目線（たとえば前記ハーフカット１６）によるものとしている。このハーフカット１６の互いの間の間隔は、タグ材料の厚さや材質に応じて、任意に設計可能であるが、少なくとも第１のタグ本体４および第２のタグ本体５を１８０度まで容易に折り曲げることができるような間隔とする。
【００２３】
こうした構成の商品情報表示用タグ３１（タグ連続体３０）において、折曲げ部３２が二本のハーフカット１６から構成されているので、図２に仮想線で示すように、第１のタグ本体４および第２のタグ本体５を折曲げ部３２の部分で折り曲げる際に、第１のタグ本体４および第２のタグ本体５を１８０度まで折り曲げることが可能となる。
【００２４】
したがって、商品情報表示用タグ３１としてその間に商品Ｍを挟んで折り畳む際に無理が生じないため、図７や図５に示した従来の商品情報表示用タグ２の場合のような、はがれ２１が発生することなく、第１のタグ本体４および第２のタグ本体５のとくに折曲げ部３２両側の表面領域１４のデザインを良好に保持可能であって、商品Ｍの販売促進に寄与することができる。
【図面の簡単な説明】
【００２５】
【図１】本発明の実施例による商品情報表示用タグ３１を複数枚連続して形成したタグ連続体３０として示したもので、図１（１）は、その裏面側を示す平面図、図１（２）は、その表面側を示す平面図である。
【図２】同、図１（１）のＩＩ−ＩＩ線断面図である。
【図３】同、切断して単葉状態とした商品情報表示用タグ３１の平面図（裏面図）である。
【図４】従来の商品情報表示用タグ２を複数枚連続して形成したタグ連続体１として示したもので、図４（１）は、その裏面側を示す平面図、図４（２）は、その表面側を示す平面図である。
【図５】同、図４（１）のＶ−Ｖ線断面図である。
【図６】同、切断して単葉状態とした商品情報表示用タグ２の平面図（裏面図）である。
【図７】同、商品Ｍに商品情報表示用タグ２を取り付けた状態を示す斜視図である。
【符号の説明】
【００２６】
１  商品情報表示用タグ２のタグ連続体
２  商品情報表示用タグ（従来、図４）
３  切断線
４  第１のタグ本体
５  第２のタグ本体
６  折曲げ部
７  第１のタグ本体４および第２のタグ本体５の裏面領域
８  商品の番号
９  商品の材料
１０  製造アパレルメーカーの名称
１１  小売店が利用するバーコード
１２  製造アパレルメーカーが利用するバーコード
１３  価格
１４  第１のタグ本体４および第２のタグ本体５の表面領域
１５  商品に関するブランドその他を描いた販売用デザイン
１６  ハーフカット（折り目線）
１７  位置決め用の丸パンチ孔
１８  ナイロンピンその他の取付け具１９用の取付け孔部
１８Ａ  取付け孔部１８の貫通カット部
１８Ｂ  取付け孔部１８のもろい部分
１９  ナイロンピンその他の取付け具（図７）
２０  ミシン目
２１  はがれ（図５、図７）
３０  商品情報表示用タグ３１のタグ連続体
３１  商品情報表示用タグ（実施例、図１）
３２  折曲げ部
Ｍ    商品（図７）
【図１】
2010049104.tif 000003
【図２】
2010049104.tif 000004
【図３】
2010049104.tif 000005
【図４】
2010049104.tif 000006
【図５】
2010049104.tif 000007
【図６】
2010049104.tif 000008
【図７】
2010049104.tif 000009